(57)【特許請求の範囲】
【請求項１】
既製履物に取り付けられて当該既製履物を健康履物とするために使用される健康履物用パーツにおいて、
既製履物の履物台底面に後付け当着される基板部材と、
その基板部材における履物台底面との当着面から突設され、その基板部材が履物台底面に押圧されることに伴って履物台底面に食い込んで引っ掛け可能に形成される尖形状の先端を有した挿入部材と、
その挿入部材の突設面となる前記基板部材の反対面から側面視弧状に湾出形成され、履物台底面の幅方向に一定の幅をもって形成される支持脚部材とを備えていることを特徴とする健康履物用パーツ。
【請求項２】
前記押入部材は、前記基板部材の前側部分から突設される第１突起部と、その第１突起部から前記基板部材の前後方向に間隔を隔てて、その基板部材の後側部分から突設される第２突起部とを備えていることを特徴とする請求項１記載の健康履物用パーツ。
【請求項３】
前記基板部材における既製履物の履物台底面に対する当着面には、貼着部材が設けられる平面スペースが形成されていることを特徴とする請求項１又は２に記載の健康履物用パーツ。
【発明の詳細な説明】
【技術分野】
【０００１】
本発明は、既製履物に取り付けられて健康履物とするために使用される健康履物用パーツに関するものである。
【背景技術】
【０００２】
昨今を問わず、身体的な健康の維持増進は、人々の大きな関心事であり、このため、様々な健康器具が開発されており、例えば、下記特許文献１に記載されるが如き、健康履物などが提案されている。この健康履物は、断面視円弧状、弓形状又はこれらに類似の曲面となった凸曲面が履物本体の裏面に形成されており、この凸曲面を地面（床面を含む。以下同じ。）に接地させてバランスをとりながら歩行したり、凸曲面を支点に前後方向にシーソー運動させることで下肢をストレッチできるものである。
【０００３】
ところで、通常、一般的な履物についてみれば、使用者毎にデザインの好みが異なることも多く、又、その履き心地についても使用者毎に好みが異なることが多いものである。そして、このような使用者の好みは、健康履物のデザインや履き心地についても自ずと現れるものであり、使用者においては、なるべく自らの好みにあったデザインや履き心地のものを使用することを望むものである。
【先行技術文献】
【特許文献】
【０００４】
【特許文献１】実開昭６３−５４３０４号公報
【発明の開示】
【発明が解決しようとする課題】
【０００５】
しかしながら、上記した特許文献１における図１から図４に記載の健康履物では、凸曲面が履物本体の裏面に一体的に固定されているため、この履物本体のデザインや履き心地が使用者に気に入られなければ、かかる健康履物を使用して貰えないという問題点があった。
【０００６】
また、特許文献１における図５及び図６に記載の健康履物では、履物本体の裏面から凸曲面体が止着具やねじ釘を介して着脱可能に固定されるが、これらも、凸曲面体を固定するための専用の履物本体が必要となるため、この専用の履物本体のデザインや履き心地が使用者の好みと合致しない場合には、結局、かかる健康履物を使用して貰えないという問題点があった。
【０００７】
もっとも、かかる場合において、デザインや履き心地が異なる健康履物や履物本体を多数用意することも可能ではあるが、実際問題として、多数のバリエーションを製造するには、製造コストが嵩むことから、せいぜい数種類程度のごく僅かなバリエーションしか用意できないという実情にあった。
【０００８】
本発明は、上述した問題点を解決するためになされたものであり、使用者の好みに合った既製履物に後付けされ、その履物を健康履物として機能させることができる健康履物用パーツを提供することを目的としている。
【課題を解決するための手段】
【０００９】
この目的を達成するために請求項１の健康履物用パーツは、既製履物に取り付けられて当該既製履物を健康履物とするために使用されるものであり、既製履物の履物台底面に後付け当着される基板部材と、その基板部材における履物台底面との当着面から突設され、その基板部材が履物台底面に押圧されることに伴って履物台底面に食い込んで引っ掛け可能に形成される尖形状の先端を有した挿入部材と、その挿入部材の突設面となる前記基板部材の反対面から側面視弧状に湾出形成され、履物台底面の幅方向に一定の幅をもって形成される支持脚部材とを備えている。
【００１０】
この請求項１の健康履物用パーツによれば、この健康履物用パーツが既製履物に後付けされることで、当該既製履物が健康履物として機能するものとなる。ここで、健康履物用パーツは、例えば、その基板部材が履物台底面に貼着部材を介して貼着されることで、かかる基板部材が履物台底面に後付け当着される。この基板部材の後付け当着によって、健康履物用パーツは、その押入部材の尖形状の先端が履物台底面に押入される状態となって履物台底面に食い込んで引っ掛かり、なおかつ、支持脚部材が履物台底面の幅方向に一定の幅をもって側面視略弧状に履物台底面から湾出した状態となって、既製履物に取り付けられる。
【００１１】
このようにして健康履物用パーツが取り付けられた既製履物は、健康履物となり、そして、かかる健康履物を履いた使用者は、支持脚部材を支点にしてシーソーのように揺動する履物台の上で、バランスをとりながら立ったり又は歩行したりすることができる。しかも、このように支持脚部材を支点にして起立したり歩行したりする場合、押入部材が履物台底面に食い込んで引っ掛かっているので、基板部材が履物台底面に対して滑り動くことが防がれ、基板部材が履物台底面の定位置にしっかりと固定される。
【００１２】
請求項２の健康履物用パーツは、請求項１の健康履物用パーツにおいて、前記押入部材は、前記基板部材の前側部分から突設される第１突起部と、その第１突起部から前記基板部材の前後方向に間隔を隔てて、その基板部材の後側部分から突設される第２突起部とを備えている。
【００１３】
この請求項２の健康履物用パーツによれば、請求項１の健康履物用パーツと同様に作用する上、押入部材は、基板部材の前側部分にある第１突起部、及び、基板部材の後側部分にある第２突起部が、それぞれ履物台底面に押入される。このため、基板部材が履物台底面に対して前後方向に摺れ動くことが前後の各突起部によって強固に防止されるとともに、歩行時や運動時の履物に対する捻り動作などによって基板部材に対して偶力が作用するような場合に、基板部材が履物台底面に対して滑って回り動くようなことも防止される。
【００１４】
この請求項３の健康履物用パーツは、請求項１又は２の健康履物用パーツにおいて、前記基板部材における既製履物の履物台底面に対する当着面には、貼着部材が設けられる平面スペースが形成されている。
【００１５】
本発明の第１変形例の健康履物用パーツは、請求項１又は２の健康履物用パーツにおいて、前記支持脚部材は、側面視略弧状に湾曲形成される支持板部と、その支持板部の前端部に連設され前記基板部材の底面に当着される第１当着部と、その支持板部の後端部に連設され前記基板部材の底面に当着される第２当着部とを備えており、前記押入部材は、前記支持脚部材と一体形成されるものであって、前記第１当着部とともに前記支持板部の前端部に連設され前記基板部材を貫通して履物台底面へ向けて突設される第１突起部と、前記第２当着部とともに前記支持板部の後端部に連設され前記基板部材を貫通して履物台底面へ向けて突設される第２突起部とを備えている。
【００１６】
この第１変形例の健康履物用パーツによれば、請求項１又は２の健康履物用パーツと同様に作用する上、支持脚部材は、その支持板部が床面や地面に接地されることで履物台を支持するものとなる。また、支持脚部材は、その第１当着部及び第２当着部を介して基板部材の底面に当着される。さらに、支持脚部材には、押入部材が一体形成されており、部品点数の削減が図られている。この押入部材は、第１突起部及び第２突起部を備えており、この第１突起部及び第２突起部が、支持脚部材の第１当着部及び第２当着部とともに支持板部の前端部及び後端部に連設され、基板部材を貫通して突設されて履物台底面に押入される構造となっている。
【００１７】
第２変形例の健康履物用パーツは、第１変形例の健康履物用パーツにおいて、前記支持脚板の支持板部、第１当着部及び第２当着部、並びに、前記押入部材の第１突起部及び第２突起部は、１枚の板材を曲成することにより形成されている。
【００１８】
第３変形例の健康履物用パーツは、請求項１若しくは２又は第１若しくは第２変形例のいずれかの健康履物用パーツにおいて、前記押入部材の先端、前記第１突起部の先端、又は、前記第２突起部の先端は、尖形状に形成されている。よって、押入部材の先端、第１突起部の先端、又は、第２突起部の先端を、履物台底面へ押入させる場合に、これらの先端を履物台底面へ容易に食い込ませることができる。
【発明の効果】
【００１９】
本発明の健康履物用パーツによれば、基板部材が既製履物の履物台底面に後付け当着されて、この基板部材が履物台底面に押圧されることに伴って押入部材の尖形状の先端が既製履物の履物台底面に食い込み引っ掛けられるので、かかる基板部材を履物台底面に対して滑り動かすことなく履物台底面の定位置にしっかりと固定できる。このため、例えば、貼着部材により基板部材を履物台底面に貼着するという簡易的な固定方式を用いて基板部材を履物台底面に後付け当着したとしても、健康履物用パーツを取り付けた既製履物で利用者が歩行したり運動したりする際に支持脚部材がズレ動いてしまって不安定となることを防止できるという効果がある。
【００２０】
そのうえ、従来の健康履物のように履物台の底面に支持脚部材を一体的に固定したり、或いは、履物底部自体に止着具や貫通孔を別途加工する必要もないので、既製履物の履物台底面にも、基板部材を介して支持脚部材を容易に後付けすることができ、使用者が好むの形態、デザイン、履き心地を有する履物を、特殊な加工を施すことなく容易に健康履物として機能させることができるという効果がある。
【図面の簡単な説明】
【００２１】
【図１】本発明の一実施例である健康具の平面図である。
【図２】健康具の右側面図である。
【図３】（ａ）は、ベース板の平面図であり、（ｂ）は、（ａ）のＢ−Ｂ線における縦断面図である。
【図４】（ａ）は、支持脚の平面図であり、（ｂ）は、支持脚の右側面図である。
【図５】支持脚の展開図であって、支持脚を曲成する以前の原型材である。
【図６】健康具の正面図である。
【図７】健康具を履物に取り付けた状態を示した図であり、（ａ）は、健康具が取り付けられた履物の右側面図であり、（ｂ）は、（ａ）の平面図であり、（ｃ）は、（ｂ）のＣ−Ｃ線における縦断面図である。
【図８】（ａ）は、第２実施例の健康具が取り付けられた履物の右側面図であり、（ｂ）は、（ａ）の底面図である。
【図９】（ａ）は、第３実施例の健康具の平面図であり、（ｂ）は、（ａ）の右側面図である。
【図１０】第４実施例の健康具を履物に取り付けた状態を拡大視した右側面図である。
【発明を実施するための形態】
【００２２】
以下、本発明の好ましい実施例について、添付図面を参照して説明する。図１は、本発明の健康履物用パーツの一実施例である健康具１の平面図であり、図２は、健康具１の右側面図である。なお、健康具１の左側面図は、図２に示した健康具１の右側面図と対称に表れるものである。
【００２３】
図１及び図２に示すように、健康具１は、主として、履物５０の履物台５１の底面（以下「履物台底面」という。）５１ａ（図７参照。）に当着されるベース板２と、健康履物５０の接地部として機能する支持脚３とを備えている。また、これらのベース板２及び支持脚３は、例えば、ポリカーボネート等の剛性を有する合成樹脂材料で形成されている。
【００２４】
図１に示すように、ベース板２は、その前側部分（図１左側）が後側部分（図１右側）に比べて幅広であって、その前後方向（図１左右方向）中間部が前側部分及び後側部分に比べて幅が狭く括れた、平面視略洋梨形又は略ひさご形の略平板状に形成されている。また、ベース板２には、その前端部、中間部および後端部の３箇所に貼着シート４，５，６が貼着されている。
【００２５】
これらの貼着シート４，５，６は、ベース板２を履物台底面５１ａに貼着するための両面粘着テープであり、例えば、アクリルフォーム、ポリエチレンフォーム、ポリウレタンフォームなどの弾力性又はクッション性を有した合成樹脂フォーム製の基材の両面に、粘着剤から成る粘着層が形成されたものである。
【００２６】
また、このベース板２は、その前側部分であって前端部及び中間部の貼着シート４，５の間部分に、横幅方向（図１上下方向）に略一文字状の第１貫通孔７が穿設されている。さらに、ベース板２は、その後側部分であって後端部及び中間部の貼着シート５，６の間部分に、横幅方向に略一文字状の第２貫通孔８が穿設されている（図３参照。）。
【００２７】
ここで、第１貫通孔７は、第１押入突起９をベース板２の天面２ａから突出させるための開口部であり、第２貫通孔８よりも横幅が大きくされている。一方、第２貫通孔８は、第２押入突起１０をベース板２の天面２ａから突出させるための開口部である。
【００２８】
第１押入突起９と第２押入突起１０とは、履物台底面５１ａへ押入可能に形成されており、ベース板２が貼着シート４，５，６を介して履物台底面５１ａに貼着される場合に、履物台底面５１ａに押入されて食い込んで引っ掛かることで、ベース板２が履物台底面５１ａに対して滑り動くことを防止するものである。
【００２９】
なお、「押入」とは、第１押入突起９や第２押入突起１０が履物台底面５１ａへ押し入れられることをいい、特に、ベース板２が履物台底面５１ａに当着される場合に、かかるベース板２が履物台底面５１ａに対して押圧又は圧接されることによって、第１押入突起９や第２押入突起１０が履物台底面５１ａへ向けて押されて履物台底面５１ａへ入り込むことを意味している。
【００３０】
第１押入突起９は、第１貫通孔７を貫通してベース板２の天面２ａ前側部分から突設されており、第２押入突起１０は、第２貫通孔８を貫通してベース板２の天面２ａ後側部分から突設されている。また、第１押入突起９及び第２押入突起１０は、いずれもベース板２の横幅方向（図１上下方向）に略一文字状に形成されており、第１押入突起９が第２押入突起１０よりも横幅が大きくされている。
【００３１】
また、これらの第１押入突起９と第２押入突起１０とは、ベース板２の前後方向（図１左右方向）に間隔を隔てて設けられており、この第１押入突起９と第２押入突起１０との間部分には、上記した中間部の貼着シート５が貼着されている。また、ベース板２には、その前側部分の横幅方向両側部分、及び、その後側部分の横幅方向両側部分の、合計４箇所に取着されるリベット１１を介して支持脚３が固着されている。
【００３２】
このように、押入突起９，１０は、ベース板２の天面２ａ全体に突設されるのではなく、局所的に突設されるので、貼着シート４，５，６などを設けるための平面スペースを十分に確保できる。このため、これら貼着シート４，５，６による粘着面の面積を大きくでき、その分、強固な粘着力をもって、ベース板２を履物台底面５１ａにしっかりと固定することができるのである。
【００３３】
図２に示すように、ベース板２の天面（上面）２ａには、上記した３箇所に貼着シート４，５，６が貼着されており、このベース板２の天面２ａからは、上記した第１押入突起９及び第２押入突起１０が上方へ向けて突設されている。また、ベース板２の底面（下面）２ｂには、上記したリベット１１を介して支持脚３が固着されている。
【００３４】
支持脚３は、ベース板２の底面２ｂから下方へ向けて湾出される側面視略弧状に湾曲形成された支持板部１２と、その支持板部１２の前端部（図２左側）に連設されベース板２の底面２ｂに当着される第１当着部１３と、その支持板部１２の後端部（図２右側）に連設されベース板２の底面２ｂに当着される第２当着部１４とを備えている。
【００３５】
ここで、支持板部１２は、履物台５１を実際に支持する部位であり、その下面が床面や地面に接地される支持面１２ａとなる。また、第１当着部１３及び第２当着部１４は、リベット１１を介して、ベース板２の底面２ｂに当着される部位である。
【００３６】
図３（ａ）は、ベース板２の平面図であり、図３（ｂ）は、図３（ａ）のＢ−Ｂ線における縦断面図であり、図４（ａ）は、支持脚３の平面図であり、図４（ｂ）は、支持脚３の右側面図である。図３に示すように、ベース板２には、その前側部分及び後側部分にそれぞれ、上記した第１貫通孔７及び第２貫通孔８が穿設されており、各貫通孔７，８は、横幅方向へ略一文字状に細長く形成されたいる。また、ベース板２には、リベット１１を挿通させるためのリベット孔１５も４箇所穿設されている。
【００３７】
図４（ａ）に示すように、支持脚３は、支持板部１２の前端部（図４（ａ）左側）における横幅方向両側（図４（ａ）上下両側）に略平板状の第１当着部１３，１３がそれぞれ連設されており、支持板部１２の後端部（図４（ｂ）右側）における横幅方向両側に略平板状の第２当着部１４，１４がそれぞれ連設されている。また、各当着部１３，１３，１４，１４には、ベース板２の各リベット孔１５に対応した箇所に、リベット１１を挿通可能なリベット孔１６が穿設されている。
【００３８】
また、この支持脚３には、上記した第１押入突起９及び第２押入突起１０が一体形成されている。具体的には、第１押入突起９が、支持板部１２の前端部（図４（ａ）左側）に、第１当着部１３，１３とともに連設され、これら第１当着部１３，１３の間から上方へ向けて突設されている。
【００３９】
また、第２押入突起１０が、支持板部１２の後端部（図４（ａ）右側）に、第２当着部１４，１４とともに連設され、これら第２当着部１４，１４の間から上方へ向けて突設されている。このように、支持脚３と第１押入突起９及び第２押入突起１０とを組み合わせて一体化することで、部品点数の削減が図られている。
【００４０】
図５は、支持脚３の展開図であって、支持脚３を曲成する以前の原型材３’である。図５に示すように、支持脚３の原型材３’は１枚の板材であり、その前後方向（図５左右方向）中間部分に曲成前の支持板部１２が設けられており、この曲成前の支持板部１２は、その横幅方向（図５上下方向）両側が略円弧状に湾出形成されている。
【００４１】
また、原型材３’は、その前端部（図５左側）の横幅方向両側に第１当着部１３，１３が形成され、その第１当着部１３，１３間に第１押入突起９が形成され、その後端部（図５右側）の横幅方向両側に第２当着部１４，１４が形成され、その第２当着部１４、１４間に第２押入突起１０が形成されている。
【００４２】
そして、支持脚３は、上記のように形成された原型材３’を加熱して曲成することで、図４に示すような形態に成形されるのである。
【００４３】
図６は、健康具１の正面図である。図６に示すように、第１押入突起９は、その先端に複数の尖形状の押入歯９ａが刻設され、この複数の押入歯９ａが略鋸歯状に配列されており、履物台底面５１ａへ押入される場合に履物台底面５１ａへ食い込み易い形態となっている。また、支持脚３の支持板部１２は、履物台底面５１ａの幅方向に一定の幅をもって形成されている。
【００４４】
なお、図５にも示したように、第２押入突起１０も、第１押入突起９と同様に、その先端に複数の尖形状の押入歯１０ａが刻設され、この複数の押入歯１０ａが略鋸歯状に配列されており、履物台底面５１ａへ食い込み易い形態となっている。
【００４５】
図７は、健康具１を履物５０に取り付けた状態を示した図であり、図７（ａ）は、健康具１が取り付けられた履物５０の右側面図であり、図７（ｂ）は、図７（ａ）の平面図であり、図７（ｃ）は、図７（ｂ）のＣ−Ｃ線における縦断面図である。
【００４６】
図７に示すように、健康具１によれば、この健康具１が履物５０に後付けされることで、当該履物５０が健康履物として機能するものとなる。ここで、健康具１は、そのベース板２が履物台底面５１ａに貼着シート４，５，６を介して貼着されることで、かかるベース板２が履物台底面５１ａに当着される。このベース板２の当着によって、健康具１は、その第１押入突起９及び第２押入突起１０が履物台底面５１ａに押入される状態となって履物台底面５１ａに食い込んで引っ掛かった状態で、支持脚３が履物台底面５１ａに取り付けられる。
【００４７】
ここで、第１押入突起９は、ベース板２の第１貫通孔７を貫通して、ベース板２の天面２ａから履物台底面５１ａへ向けて突設される。また、第２押入突起１０は、ベース板２の第２貫通孔８を貫通して、ベース板２の天面２ａから履物台底面５１ａへ向けて突設される。また、ベース板２は、その天面２ａが貼着シート４，５，６を介して履物台底面５１ａに当着される。また、貼着シート４，５，６は、ベース板２の天面２ａと履物台底面５１ａとの間に介在された状態で、ベース板２を履物台底面５１ａに貼着させている。
【００４８】
このようにして健康具１が取り付けられた履物５０は健康履物となり、かかる健康履物を履いた使用者は、支持脚３を支点にしてシーソーのように揺動する履物台５１の上で、バランスをとりながら立ったり又は歩行したりすることができる。しかも、このように支持脚３の支持板部１２を支点にして起立したり歩行したりする場合、第１押入突起９及び第２押入突起１０が履物台底面５１ａに食い込んで引っ掛かっているので、ベース板２が履物台底面５１ａに対して滑り動くことが防がれ、ベース板２が履物台底面５１ａの定位置にしっかりと固定される。
【００４９】
また、ベース板２と支持板部１２との間には空隙部１７が形設されており、この空隙部１７は、支持脚３の横幅方向（図６の左右方向）両側が開放されている。このため、履物台５１と支持脚３との間に形成される空隙部１７にはベルトなどを挿通させることができるようになっている。
【００５０】
そこで、例えば、健康具１を両足の履物５０にそれぞれ取り付け、その両足の各空隙部１７にゴム織物等の伸縮性ベルトをそれぞれ通し、その各ベルトを使用者が別々に両手で把持したまま、歩行運動や足踏み運動をすれば、その各ベルトを介して履物５０ごと足を引き上げる運動を加えることができ、両脚の運動と両腕の運動とを同時に行うこともできるのである。
【００５１】
次に、図８、図９及び図１０を参照して、上記実施例の変形例について説明する。
【００５２】
図８（ａ）は、第２実施例の健康具２０が取り付けられた履物５０の右側面図であり、図８（ｂ）は、図８（ａ）の底面図である。第２実施例の健康具２０は、上記した第１実施例の健康具１に対して、第１押入突起及び第２押入突起に代えて支持脚とは別体の押入部材２１を使用したものである。以下、第１実施例と同一の部分には同一の符号を付して、その説明を省略し、異なる部分のみを説明する。
【００５３】
図８（ａ）に示すように、第２実施例の健康具２０は、ベース板２から履物台底面５１ａへ向けて突設される複数本の押入部材２１が履物台底面５１ａに押入されている。押入部材２１は、第１実施例とは異なり、支持脚２２とは別体に形成されている。この押入部材２１は、その先端が尖形状のビス（ネジ部材）であって、空隙部１７内のベース板２の底面２ｂからベース板２に螺入され、このベース板２を貫通して天面２ａから突設されている。
【００５４】
図８（ｂ）に示すように、押入部材２１は、例えば、ベース板２の前側部分（図８左側）の横幅方向（図８（ｂ）上下方向）両側、及び、ベース板２の後側部分（図８右側）の横幅方向両側の合計４箇所に設けられている。また、支持脚２２の第１当着部２３及び第２当着部２４は、第１押入突起９及び第２押入突起１０が不要となったため、いずれも横幅方向に連続した板状体となっており、その横幅方向両端部がリベット１１によってベース板２に固着されている。
【００５５】
図９（ａ）は、第３実施例の健康具３０の平面図であり、図９（ｂ）は、図９（ａ）の右側面図である（図中の２点鎖線は履物５０を示した仮想線である。）。なお、第３実施例の健康具３０の左側面図は、図９（ｂ）に示した健康具３０の右側面図と対称に表れるものである。
【００５６】
第３実施例の健康具３０は、上記した第１実施例の健康具１がベース板２及び支持脚３が別体であったのに対して、ベース板２及び支持脚３を一体成形したものである。以下、第１実施例と同一の部分には同一の符号を付して、その説明を省略し、異なる部分のみを説明する。
【００５７】
図９に示すように、ベース板２の底面２ｂには、第１実施例における支持脚３の支持板部１２と略同一形態の支持脚３１が一体成形されており、この支持脚３１は、側面視略弧状に湾曲形成された板状体であって、ベース板２の底面２ｂから下方へ向けて湾出されている（図９（ｂ）参照。）。
【００５８】
また、ベース板２の天面２ａには第１押入突起３２と第２押入突起３３が一体成形されており、第１押入突起３２及び第２押入突起３３は、ベース板２の天面２ａから履物台底面５１ａへ向けて突設されている（図９（ｂ）参照。）。この第１押入突起３２及び第２押入突起３３は、その先端が尖形状に形成された複数の針状体３２ａ，３３ａで形成されており（図９（ａ）参照。）、履物台底面５１ａに押入可能に形成されている。
【００５９】
図１０は、第４実施例の健康具４０を履物５０に取り付けた状態を拡大視した右側面図である。ここで、第４実施例の健康具４０は、上記した第１実施例の健康具１に対し、支持脚３に取付可能な滑り止め部材４１を追加したものである。以下、第１実施例と同一の部分には同一の符号を付して、その説明を省略し、異なる部分のみを説明する。
【００６０】
なお、履物５０に取り付けられている健康具４０の左側面図は、図９に示した健康具４０の右側面図と対称に表れる。
【００６１】
図１０に示すように、第４実施例の健康具４０は、滑り止め作用を発揮する滑り止め部材４１が、支持脚３の支持面１２ａに覆設されている。この滑り止め部材４１によって、支持脚３の支持面１２ａは、その略全体が覆われている。なお、滑り止め部材４１のサイズは、必ずしも支持面１２ａの略全体を覆設するものに限定されるものではなく、例えば、支持面１２ａの最大曲率部分、即ち、支持面１２ａの最下端部を少なくとも被覆可能なものであれば、上記したサイズより小さくても良い。
【００６２】
滑り止め部材４１の表面は、柔軟性や弾力性を有する表層シート材で形成されており、この表層シート材は、地面との摩擦抵抗が大きな合成樹脂材料で形成されている。よって、この滑り止め部材４１と地面とが摩擦接触することで、支持脚３に滑り止め機能を付与することができる。また、滑り止め部材４１の内部には、健康具４０が受ける衝撃を緩和するための緩衝材（図示せず）が収容されており、かかる緩衝材は、支持脚３の支持面１２ａと表層シート材との間に介装されている。
【００６３】
さらに、滑り止め部材４１には、かかる滑り止め部材４１を支持脚３に固定するための複数の固定バンド４１ａが設けられている。この固定バンド４１ａは、支持脚３の幅方向（図１０の紙面に対する垂直方向）両側にそれぞれ２個ずつ設けられている。この複数の固定バンド４１ａは、滑り止め部材４１が支持脚３の支持面１２ａに覆設された場合に、支持脚３の幅方向両端部で折り返されて、支持脚３の内周面１２ｂに当着されるものである。
【００６４】
ここで、各固定バンド４１ａには、支持脚３の内周面１２ｂとの当接面に面ファスナ４２（図示せず）が取着されている。また、支持脚３の内周面１２ｂには、各固定バンド４１ａの面ファスナ４２と係合可能かつ脱着可能に形成される面ファスナ４２が取着されている。よって、かかる支持脚３の面ファスナ４２に対して各固定バンド４１ａの面ファスナ４２が当接されることで、各固定バンド４１ａが支持脚３の内周面１２ｂに当着されるのである。
【００６５】
このように構成された第４実施例の健康具４０によれば、滑り止め部材４１が取り付けられる場合、かかる滑り止め部材４１が支持脚３の支持面１２ａに当てられ、支持面１２ａの最下端部が覆われる。それから、滑り止め部材４１にある固定バンド４１ａの各々が、空隙部１７の内方へ向けて折り返されて、支持脚３の内周面１２ｂに当接される。
【００６６】
この当接によって、各固定バンド４１ａの面ファスナ４２が支持脚３の面ファスナ４２と係合される。すると、各固定バンド４１ａが支持脚３の内周面１２ｂに当着されて、滑り止め部材４１が支持脚３に対して固定され、結果、滑り止め部材４１が健康具４０に着脱可能に取付けられる。
【００６７】
以上、実施例に基づき本発明を説明したが、本発明は上記実施例に何ら限定されるものではなく、本発明の趣旨を逸脱しない範囲内で種々の改良変形が可能であることは容易に推察ものである。例えば、第１及び第２実施例では、ベース板２に支持脚３をリベット１１を介して固着したが、かかる固着方式は必ずしもこれに限定されるものではなく、例えば、塩化ビニルなどの材料を用いてベース板及び支持脚を形成する場合には両者を接着剤で固着させても良い。
【００６８】
また、本実施例では、貼着シート４，５，６として両面粘着テープを用いて説明したが、かかる貼着シートの形態は必ずしもこれに限定されるものではなく、たとえば、面ファスナを貼着シートとして用いても良い。
【００６９】
また、第４実施例では、滑り止め部材４１が表層シート材と緩衝材とを用いて形成されたが、滑り止め部材４１の構造は必ずしもこれに限定されるものではなく、例えば、廃タイヤから切断加工して得られたタイヤ片を支持脚の支持面に覆設し、そのタイヤ片を支持脚にリベット止めによって固定するようにしても良い。
【００７０】
また、第４実施例では、固定バンド４１ａを支持脚３の内周面１２ｂに当着させる手段として面ファスナ４２を用いたが、かかる当着手段の形態は必ずしもこれに限定されるものではなく、例えば、固定バンドを支持脚の内周面に両面粘着テープで貼着するようにしても良い。
【符号の説明】
【００７１】
１，２０，３０，４０    健康具（健康履物用パーツ）
２                      ベース板（基板部材）
３，２２                支持脚（支持脚部材）
４，５，６              貼着シート（貼着部材）
９，３２                第１押入突起（第１突起部、押入部材の一部）
１０，３３              第２押入突起（第２突起部、押入部材の一部）
１２                    支持板部
１３，２３              第１当着部
１４，２４              第２当着部
２１                    押入部材
３１                    支持脚（支持脚部材）
５０                    履物
５１                    履物台
５１ａ                  履物台の底面（履物台底面）
【図１】
0005546656.tif 000002
【図２】
0005546656.tif 000003
【図３】
0005546656.tif 000004
【図４】
0005546656.tif 000005
【図５】
0005546656.tif 000006
【図６】
0005546656.tif 000007
【図７】
0005546656.tif 000008
【図８】
0005546656.tif 000009
【図９】
0005546656.tif 000010
【図１０】
0005546656.tif 000011